(57)【要約】【課題】ケースの変形を防止して嵌め合わせ面における防水性を向上させることのできる機器ケースの防水構造及び電子機器を提供する。【解決手段】フロントケース２１の側縁部に側方に突出する第一の突条部５２a，５２bが設けられ、リアケース２２の側縁部に側方に突出するとともに第一の突条部５２a，５２bに対向して第二の突条部６２a，６２bが設けられ、第一の突条部５２a，５２bと第二の突条部６２a，６２bとの嵌め合わせ面２１２，２２２には、パッキンＰが介在し、フロントケース２１及びリアケース２２を互いに突き合わせた状態で、互いに当接する第一の突条部５２a，５２bと第二の突条部６２a，６２bとが、第一の突条部５２a，５２bの表面５２１a，５２１bと第二の突条部６２a，６２bの裏面６２１a，６２１bとを挟み付ける挟持部材４a，４bによって連結されている。【選択図】図４
2008092096.tif 000002
【特許請求の範囲】
【請求項１】
第一のケース部材と、第二のケース部材とを互いに嵌め合わせることによって構成される機器ケースの防水構造であって、
前記第一のケース部材の側縁部に、側方に突出する第一の突条部が設けられ、
前記第二のケース部材の側縁部に、側方に突出するとともに前記第一の突条部に対向する第二の突条部が設けられ、
前記第一の突条部と前記第二の突条部との嵌め合わせ面には、パッキンが介在し、
前記第一のケース部材及び前記第二のケース部材を互いに突き合わせた状態で互いに当接する前記第一の突条部と前記第二の突条部とが、前記第一の突条部の表面と前記第二の突条部の裏面とを挟み付ける挟持部材によって連結されていることを特徴とする機器ケースの防水構造。
【請求項２】
前記第一の突条部の表面に、第一の突条部に沿って第一の溝部が形成され、
前記第二の突条部の裏面に、第二の突条部に沿って第二の溝部が形成され、
前記挟持部材に、前記第一の溝部に挿入されて、第一の溝部に沿ってスライド移動自在な第一の凸部と、前記第二の溝部に挿入されて、第二の溝部に沿ってスライド移動自在な第二の凸部とが形成されており、
前記挟持部材は、前記第一の溝部に前記第一の凸部を挿入させ、前記第二の溝部に前記第二の凸部を挿入させるとともに、各溝部に沿ってスライド移動させることにより、前記第一の突条部及び前記第二の突条部を挟み付けていることを特徴とする請求項１に記載の機器ケースの防水構造。
【発明の詳細な説明】
【技術分野】
【０００１】
本発明は、二つのケース部材の嵌め合わせ面を防水する機器ケースの防水構造に関する。
【背景技術】
【０００２】
携帯電話機などの電子機器では、機器ケースの多くは合成樹脂製のフロントケースとリアケースとで構成され、両ケースの嵌め合わせ面にゴム製のＯリングなどの防水パッキンを介在させた状態で両ケースをその嵌め合わせ方向にネジ止めし、防水パッキンを両ケースでその嵌め合わせ方向に圧縮することにより防水を図っている。
また、両ケースの嵌め合わせ面に介在させる防水パッキンとして上下両面に凹部を有する断面視略Ｈ形状の防水パッキンを用いると共に、上ケース（フロントケース）及び下ケース（リアケース）にそれぞれ、その側縁に沿って延在する凸部を設け、両凸部を防水パッキンの両凹部に嵌め込ませることにより、嵌め合わせ面の防水性を確保する技術が知られている（例えば、特許文献１参照）。
【特許文献１】特開２０００−３３５６２４号公報
【発明の開示】
【発明が解決しようとする課題】
【０００３】
ところで、Ｏリングなどの防水パッキンを両ケースでその嵌め合わせ方向に圧縮する方式の防水構造の場合、ネジ止め部間の間隔が広いと、防水パッキンの反発力によって樹脂製のケースが変形し、そのため防水性能等を十分に保つことができないという問題がある。
また、断面視略Ｈ形状の防水パッキンを使用する防水構造の場合、防水は主として、ケースの凸部が凹部に嵌め込まれた際に圧縮される防水パッキンの復元力により行われるので、ケースが防水パッキンの反発力によって変形するという危険性は少なくなるが、防水パッキンがその復元力によりケースの凸部を側方から締め付ける力は弱く、また締め付け力を全周に亘って一様にすることは困難であるので、防水性能等を十分に保つことができないという問題がある。
本発明は、上記事情に鑑みてなされたもので、防水パッキンを両ケースでその嵌め合わせ方向に圧縮する方式でありながら、ケースの変形を防止して嵌め合わせ面における防水性を向上させることのできる機器ケースの防水構造を提供することを目的としている。
【課題を解決するための手段】
【０００４】
上記課題を解決するため、請求項１の発明は、第一のケース部材と、第二のケース部材とを互いに嵌め合わせることによって構成される機器ケースの防水構造であって、
前記第一のケース部材の側縁部に、側方に突出する第一の突条部が設けられ、
前記第二のケース部材の側縁部に、側方に突出するとともに前記第一の突条部に対向する第二の突条部が設けられ、
前記第一の突条部と前記第二の突条部との嵌め合わせ面には、パッキンが介在し、
前記第一のケース部材及び前記第二のケース部材を互いに突き合わせた状態で互いに当接する前記第一の突条部と前記第二の突条部とが、前記第一の突条部の表面と前記第二の突条部の裏面とを挟み付ける挟持部材によって連結されていることを特徴とする。
【０００５】
請求項２の発明は、請求項１に記載の機器ケースの防水構造において、
前記第一の突条部の表面に、第一の突条部に沿って第一の溝部が形成され、
前記第二の突条部の裏面に、第二の突条部に沿って第二の溝部が形成され、
前記挟持部材に、前記第一の溝部に挿入されて、第一の溝部に沿ってスライド移動自在な第一の凸部と、前記第二の溝部に挿入されて、第二の溝部に沿ってスライド移動自在な第二の凸部とが形成されており、
前記挟持部材は、前記第一の溝部に前記第一の凸部を挿入させ、前記第二の溝部に前記第二の凸部を挿入させるとともに、各溝部に沿ってスライド移動させることにより、前記第一の突条部及び前記第二の突条部を挟み付けていることを特徴とする。
【発明の効果】
【０００６】
本発明によれば、第一のケース部材と第二のケース部材とが挟持部材により挟み付けられることにより、嵌め合わせ面に介在したパッキンの反発力によるケース部材の変形を防止でき、嵌め合わせ面における防水を確実に確保することができる。
【発明を実施するための最良の形態】
【０００７】
以下、本発明の実施の形態について図面を参照しながら説明する。
以下の実施の形態では、本発明に係る機器ケースの防水構造を、折り畳み式携帯電話機の第二の筐体に適用した場合を例に挙げる。図１は、折り畳み式携帯電話機１００の外観斜視図である。なお、以下の説明における上下方向、左右方向及び表裏面は、フロントケース１１，２１側から見た際の方向を基準として説明している。また、上下方向とはフロントケース１１，２１の長手方向（図１中Ｘ方向）、左右方向とはフロントケース１１，２１の幅方向（Ｙ方向）を言い、表面及び裏面とはフロントケース１１，２１の厚さ方向（Ｚ方向）を基準として言うものとする。
折り畳み式携帯電話機１００は、液晶ディスプレイ１４が設けられた第一の筐体１と、操作キー群２４が設けられた第二の筐体（機器ケース）２とがヒンジ部３によって開閉自在に連結されている。
【０００８】
第一の筐体１は、折り畳んだ際に内側（第二の筐体２側）に位置するフロントケース１１と、外側に位置するリアケース１２とを備えている。フロントケース１１は表面側に窪んだ略箱状をなし、リアケース１２は裏面側に窪んだ略箱状をなしている。そして、フロントケース１１とリアケース１２とを互いに嵌め合わせることによって第一の筐体１が構成されている。フロントケース１１の下端部（第二の筐体２側の端部）にはフロントヒンジケース１３が設けられ、リアケース１２にはリアヒンジケース（図示しない）が設けられている。
フロントケース１１とリアケース１２とを嵌め合わせることによって形成される空間内には、図示しないが、液晶ディスプレイ１４や回路基板等を支持する中ケースやスピーカ等が収納されている。
【０００９】
第二の筐体２は、折り畳んだ際に内側（第一の筐体１側）に位置するフロントケース（第一のケース部材）２１と、外側に位置するリアケース（第二のケース部材）２２とを備えている。フロントケース２１は表面側に窪んだ略箱状をなし、リアケース２２は裏面側に窪んだ略箱状をなしている。そして、フロントケース２１とリアケース２２とを互いに嵌め合わせることによって第二の筐体２が構成されている。フロントケース２１の上端部（第一の筐体１側の端部）には、第一の筐体１のフロントヒンジケース１３及びリアヒンジケースを両側から挟むように一対のヒンジケース２３が一体に形成されている。また、フロントケース２１には、操作キー群２４を露出する操作キー孔群２５が形成されている。
フロントケース２１とリアケース２２とを嵌め合わせることによって形成される空間内には、操作キー群２４や、図示しないが折り畳み式携帯電話機１００全体を制御するメインプロセッサ等が設けられた回路基板を支持する中ケース、キーシート、マイク、バッテリー、カメラユニット等が収納されている。
【００１０】
次に、第二の筐体２におけるフロントケース２１とリアケース２２との間の防水構造について説明する。図２は、第二の筐体２をフロントケース２１側から見た際の分解斜視図、図３は、第二の筐体２をリアケース２２側から見た際の分解斜視図、図４は、第二の筐体２をフロントケース２１側から見た際の要部分解斜視図である。
図２に示すように、防水パッキンＰはフロントケース２１とリアケース２２との嵌め合わせ部に介在されるようになっている。
【００１１】
フロントケース２１の左右側縁部には、その上端部分（ヒンジ部３側の端部）を残して下端部（フロントケース２１の開閉側の端部）に架けて、後述する挟持部材４a，４bが嵌め込まれる切欠部５１a，５１bがそれぞれ形成されている。右側の切欠部５１a内には、フロントケース２１の右側縁部から右側方に突出する第一の突条部５２aが右側縁部の長手方向に沿って配置されている。第一の突条部５２aは、フロントケース２１のリアケース２２との嵌め合わせ面２１２に連続して一体に形成され（図４参照）、フロントケース２１の右側縁部に沿ってほぼ直線状をなし、フロントケース２１の下端部において湾曲した形状となっている。そして、第一の突条部５２aの上端部は、フロントケース２１の上端部で切欠部５１a内に露出した露出面５３aに連なり、第一の突条部５２aの下端部は、フロントケース２１の下端部で切欠部５１a内に露出した露出面５４aに連なっている。第一の突条部５２aの幅は、その露出面５３a，５４aの幅よりも小さく設計されている。また、露出面５３aに後述の挟持部材４aの上端部が当接し、これによって挟持部材４aの上方向への移動が停止されて抜けが防止されるようになっている。
第一の突条部５２aの表面５２１aは、フロントケース２１の表面２１１（操作キー孔群２５の設けられた面）よりも裏面側に窪んでおり、フロントケース２１の表面２１１と第一の突条部５２aの表面５２１aとは段差が形成されている。第一の突条部５２aの表面５２１aでその右側縁部には、長手方向に沿って所定間隔に複数の第三の凸部５５a，５５a，…が立設されている。なお、フロントケース２１の下端部の第一の突条部５２aが湾曲している部分には、第三の凸部５５aは設けられていない。第三の凸部５５a，５５a，…は、断面視略矩形状で、その幅は後述の挟持部材４aの第三の溝部４５aの幅よりも小さく設計されている。これら第三の凸部５５a，５５a，…とフロントケース２１の右側面２１３aとの間に長手方向に沿って延在する第一の溝部５６aが設けられている。この第一の溝部５６aは、断面視略矩形状で、第一の溝部５６aに後述の挟持部材４aの第一の凸部４４aが挿入され、互いにスライド移動自在となっている。
【００１２】
図３に示すように、フロントケース２１の左側縁部は、フロントケース２１の左右方向中心線に関してフロントケース２１の右側縁部に線対称となっており、右側縁部側と同様の構成となっている。
すなわち、フロントケース２１の左側の切欠部５１b内にも、右側の切欠部５１aと同様にして、フロントケース２１の左側縁部から左側方に突出する第一の突条部５２bが左側縁部の長手方向に沿って配置されている。第一の突条部５２bは、右側の第一の突条部５２aと基本的に同様で、フロントケース２１のリアケース２２との嵌め合わせ面２１２に連続して一体に形成され、フロントケース２１の左側縁部に沿ってほぼ直線状をなし、下端部側において湾曲した形状となっている。そして、第一の突条部５２bの上端部は、フロントケース２１の上端部で切欠部５１b内に露出した露出面５３bに連なり、第一の突条部５２bの下端部は、フロントケース２１の下端部で切欠部５１b内に露出した露出面５４bに連なっている。この第一の突条部５２bの表面５２１bも、フロントケース２１の表面２１１と段差が形成され（図２参照）、第一の突条部５２bの表面５２１bでその左側縁部には、複数の第三の凸部５５b，５５b，…が立設されている。なお、フロントケース２１の下端部の第一の突条部５２ｂが湾曲している部分には、第三の凸部５５ｂは設けられていない。これら第三の凸部５５b，５５b，…とフロントケース２１の左側面２１３bとの間に第一の溝部５６bが設けられている（図４参照）。
【００１３】
フロントケース２１のリアケース２２との嵌め合わせ面２１２には、防水パッキンＰ及び後述のリアケース２２のパッキン押圧部２２４が嵌め込まれるパッキン用溝部２１４が全周に亘って形成されている（図４参照）。パッキン用溝部２１４は、断面視略矩形状をなしている。
【００１４】
図２に示すように、リアケース２２の左右側縁部にも、フロントケース２１と同様に、挟持部材４a，４bが嵌め込まれる切欠部６１a，６１bがそれぞれ形成されている。右側の切欠部６１a内には、リアケース２２の右側縁部から右側方に突出し、第一の突条部５２aに当接する第二の突条部６２aが右側縁部の長手方向に沿って配置されている。第二の突条部６２aは、リアケース２２のフロントケース２１との嵌め合わせ面２２２に連続して一体に形成され（図４参照）、リアケース２２の右側縁部に沿ってほぼ直線状をなし、リアケース２２の下端部（リアケース２２の開閉側の端部）において湾曲した形状となっている。そして、第二の突条部６２aの上端部（ヒンジ部３側の端部）は、リアケース２２の上端部で切欠部６１a内に露出した露出面６３aに連なり、第二の突条部６２aの下端部は、リアケース２２の下端部で切欠部６１a内に露出した露出面６４aに連なっている。第二の突条部６２aの幅は、その露出面６３a，６４aの幅よりも小さく設計されている。また、露出面６３a，６４aに後述の挟持部材４aの上端部が当接し、これによって挟持部材４aの上方向への移動が停止されて抜けが防止されるようになっている。
第二の突条部６２aの裏面６２１aは、リアケース２２の裏面２２１よりも表面側に窪んでおり、リアケース２２の裏面２２１と第二の突条部６２aの裏面６２１aとは段差が形成されている（図３参照）。第二の突条部６２aの裏面６２１aでその右側縁部には、長手方向に沿って所定間隔に複数の第四の凸部６５a，６５a，…が立設されている。なお、リアケース２２の下端部の第二の突条部６２aが湾曲している部分には、第四の凸部６５aは設けられていない。第四の凸部６５a，６５a，…は、断面視略矩形状で、その幅は後述の挟持部材４aの第四の溝部４７aの幅よりも小さく設計されている。これら第四の凸部６５a，６５a，…とリアケース２２の右側面２２３aとの間に長手方向に沿って延在する第二の溝部６６aが設けられている（図４参照）。この第二の溝部６６aは、断面視略矩形状で、第二の溝部６６aに後述の挟持部材４aの第二の凸部４６aが挿入され、互いにスライド移動自在となっている。
【００１５】
図３に示すように、リアケース２２の左側縁部は、リアケース２２の左右方向中心線に関してリアケース２２の右側縁部に線対称となっており、右側縁部側と同様の構成となっている。
すなわち、リアケース２２の左側の切欠部６１b内にも、右側の切欠部６１aと同様にして、リアケース２２の左側縁部から左側方に突出し、第一の突条部５２bに当接する第二の突条部６２bが左側縁部の長手方向に沿って配置されている。第二の突条部６２bは、右側の第二の突条部６２aと基本的に同様で、リアケース２２のフロントケース２１との嵌め合わせ面２２２に連続して一体に形成され（図４参照）、リアケース２２の左側縁部に沿ってほぼ直線状をなし、下端部側において湾曲した形状となっている。そして、第二の突条部６２bの上端部は、リアケース２２の上端部で切欠部６１b内に露出した露出面６３bに連なり、第二の突条部６２bの下端部は、リアケース２２の下端部で切欠部６１b内に露出した露出面６４bに連なっている。この第二の突条部６２bの裏面６２１bも、リアケース２２の裏面２２１と段差が形成され、第二の突条部６２bの裏面６２１bでその左側縁部には、複数の第四の凸部６５b，６５b，…が立設されている。なお、リアケース２２の下端部の第二の突条部６２ｂが湾曲している部分には、第四の凸部６５ｂは設けられていない。これら第四の凸部６５b，６５b，…とリアケース２２の左側面２２３bとの間に第二の溝部６６bが設けられている。
【００１６】
リアケース２２のフロントケース２１との嵌め合わせ面２２２には、防水パッキン用溝部２１４内に嵌め込まれた防水パッキンＰを押圧する凸状のパッキン押圧部２２４が形成されている（図４参照）。パッキン押圧部２２４は、断面視略矩形状をなしている。そして、パッキン押圧部２２４の高さ及び幅は、パッキン用溝部２１４の深さ及び幅よりも小さくなっている。
【００１７】
挟持部材４a，４bは、硬質樹脂又は金属で構成された部材であり、フロントケース２１とリアケース２２とを互いに突き合わせた状態で、フロントケース２１の第一の突条部５２a，５２bとリアケース２２の第二の突条部６２a，６２bとに跨って、第一の突条部５２a，５２bの表面５２１a，５２１bと第二の突条部６２a，６２bの裏面６２１a，６２１bとを互いに挟み付けるように第二の筐体２の左右にそれぞれ設けられている。
第二の筐体２の右側に配置された右側挟持部材４aは、図３及び図４に示すように、両ケース２１，２２の右側縁部に沿ってほぼ直線状をなし、下端部側において湾曲した形状となっている。右側挟持部材４aは、フロントケース２１の第一の突条部５２a及びリアケース２２の第二の突条部６２aを覆うカバー部４１aと、カバー部４１aのフロントケース２１側の端部に連続して形成され第一の突条部５２a側に延出する第一の延出部４２aと、カバー部４１aのリアケース２２側の端部に連続して形成され第二の突条部６２a側に延出する第二の延出部４３aとを備えている。挟持部材４aが切欠部５１a，６１a内に嵌め込まれた際に、フロントケース２１の表面２１１からリアケース２２の裏面２２１まで、第一の延出部４２a、カバー部４１a及び第二の延出部４３aの各外側面によって面一に繋がるように設計されている（図６参照）。
【００１８】
第一の延出部４２aの裏面４２１aでその左側縁部には、第一の溝部５６a内に挿入され互いにスライド移動自在とされる複数の第一の凸部４４a，４４a，…が長手方向に沿って所定間隔に立設されている。なお、右側挟持部材４aの下端部の湾曲している部分には、第一の延出部４２aの裏面４２１aに第一の凸部４４aは設けられていない。第一の凸部４４a，４４a，…は、断面視略矩形状で、その幅は第一の溝部５６aの幅よりも小さく設計されている。これら第一の凸部４４a，４４a，…とカバー部４１aとの間に長手方向に沿って延在する第三の溝部４５aが設けられている。この第三の溝部４５aは、断面視略矩形状で、第三の凸部５５a，５５a，…が挿入され、互いにスライド移動自在となっている。
第二の延出部４３aの表面４３１aで左側縁部には、第二の溝部６６a内に挿入されスライド移動自在とされる複数の第二の凸部４６a，４６a，…が長手方向に沿って所定間隔に立設されている。なお、右側挟持部材４aの下端部の湾曲している部分には、第二の延出部４３aの裏面４３１aに第二の凸部４６aは設けられていない。第二の凸部４６a，４６a，…は、断面視略矩形状で、その幅は第二の溝部６６aの幅よりも小さく設計されている。これら第二の凸部４６a，４６a，…とカバー部４１aとの間に長手方向に沿って延在する第四の溝部４７aが設けられている。この第四の溝部４７aは、断面視略矩形状で、第四の凸部６５a，６５a，…が挿入され、互いにスライド移動自在となっている。
【００１９】
第二の筐体２の左側に配置された左側挟持部材４bも、右側挟持部材４aと同様の構成をなしており、図２及び図４に示すように、両ケース２１，２２の左側縁部に沿ってほぼ直線状をなし、下端部側において湾曲した形状となっている。左側挟持部材４bは、カバー部４１bと、第一の延出部４２bと、第二の延出部４３bとを備えている。挟持部材４bが切欠部５１b，６１b内に嵌め込まれた際に、フロントケース２１の表面２１１からリアケース２２の裏面２２１まで、第一の延出部４２b、カバー部４１b及び第二の延出部４３bの各外側面によって面一に繋がるように設計されている（図６参照）。
【００２０】
第一の延出部４２bの裏面４２１bでその右側縁部には、複数の第一の凸部４４b，４４b，…が立設され、これら第一の凸部４４b，４４ｂ，…とカバー部４１bとの間に第三の溝部４５bが設けられている。第二の延出部４２bの表面４３１bで右側縁部には、複数の第二の凸部４６b，４６b，…が立設され、第二の凸部４６b，４６b，…とカバー部４１bとの間に、第四の溝部４７bが設けられている。なお、左側挟持部材４ｂにおいても、下端部の湾曲している部分には、第一の凸部４４ｂや第二の凸部４６ｂは設けられていない。
【００２１】
図５は、フロントケース２１とリアケース２２とを互いに突き合わせた状態の斜視図、図６は、図５の状態から挟持部材４a，４bを嵌め込んだ状態の要部斜視図、図７は、図１の切断線Ａ−Ａに沿って切断した際の矢視断面図である。なお、図６及び図７は図面の関係上、フロントケース２１及びリアケース２２内に収納される各部品は図示していない。
上述のような各部材を組み付けて第二の筐体２とする場合には、まず、フロントケース２１とリアケース２２とを用意しておき、フロントケース２１のパッキン用溝部２１４内に防水パッキンＰを挿入させておく。
次いで、フロントケース２１及びリアケース２２によって形成される空間内に、操作キー群２４、中ケース、キーシート、マイク、バッテリー、カメラユニット等を収納する。
次いで、フロントケース２１とリアケース２２のそれぞれの嵌め合わせ面２１２，２２２を互いに突き合わせて、第一の突条部５２a，５２bと第二の突条部６２a，６２bとを当接させる（図５参照）。これによって、パッキン押圧部２２４がパッキン用溝部２１４内に防水パッキンＰを挟んで嵌め込まれる。
【００２２】
そして、右側の第一及び第二の突条部５２a，６２aの下端部から、右側の挟持部材４aの上端部を挿入していき、図５中矢印方向にスライド移動させることにより第一及び第二の突条部５２a，６２aを挟み付ける。詳細には、右側の挟持部材４aの第一の凸部４４a，４４a，…を第一の溝部５６a内に挿入させ、第二の凸部４６a，４６a，…を第二の溝部６６a内に挿入させるとともに、第三の凸部５５a，５５a，…を第三の溝部４５a内に挿入させ、第四の凸部６５a，６５a，…を第四の溝部４７a内に挿入させながらスライド移動させる。そして、右側の挟持部材４aの上端部がフロントケース２１の上端部の露出面５３a，６３aに当接することにより、その移動が停止され、図６及び図７に示すように挟持部材４aが上方向に抜けることがなく、第一の突条部５２aの表面５２１aと第二の突条部６２aの裏面６２１aとを挟み付けることができる。また、このとき第一の溝部５６a内に挿入された第一の凸部４４a，４４a，…と、第三の溝部４５a内に挿入された第三の凸部５５a，５５a，…とが互いに当接し、第二の溝部６６a内に挿入された第二の凸部４６a，４６a，…と、第四の溝部４７a内に挿入された第四の凸部６５a，６５a，…とが互いに当接し、切欠部５１a，５１b，６１a，６１b内に挟持部材４a，４bが断面視略コ字状に嵌め込まれる。その結果、左右方向及び表裏面方向における挟持部材４aの移動が規制されて左右方向及び表裏面方向においても抜けることがない。
同様にして、左側の挟持部材４bも、左側の第一の突条部５２b及び第二の突条部６２bの下端部から挿入していき、スライド移動させることにより第一の突条部５２bの表面５２１bと第二の突条部６２bの裏面６２１bとを挟み付ける。
【００２３】
なお、本実施形態では、第一〜第四の凸部４４a，４４b，４６a，４６b，５５a，５５b，６５a，６５bはそれぞれ長手方向に沿って所定間隔で複数立設されているので、挟持部材４a，４bは、第一及び第二の突条部５２a，６２aの側方から挿入することもできる。例えば、右側の挟持部材４aを右側の第一及び第二の突条部５２a，６２aに側方から挿入する場合には、右側挟持部材４aを、その第一の延出部４２aに立設されている第一の凸部４４a，４４a，…がそれぞれフロントケース２１の第一の突条部５２aに立設されている第三の凸部５５a，５５a，…それぞれの間に位置し、第二の延出部４３aに立設されている第二の凸部４６a，４６a，…がそれぞれリアケース２２の第二の突条部６２aに立設されている第四の凸部６５a，６５a，…それぞれの間に位置するように位置合わせして配置し、この状態で、右側挟持部材４aを、第一の凸部４４a，４４a，…及び第二の凸部４６a，４６a，…がそれぞれフロントケース２１の右側面２１３a及びリアケース２２の右側面２２３aに当接するまで側方から押し込み、その後、長手方向に沿って上方向に、右側の挟持部材４aの上端部がフロントケース２１の上端部の露出面５３a，６３aに当接するまでスライド移動させればよい。
【００２４】
また、挟持部材４ａ，４ｂの組付け作業をより簡単に行うためには、挟持部材４ａ，４ｂを組付ける前に、フロントケース２１とリアケース２２とをネジ止めしておくことが望ましい。本実施形態では、図２及び図３に示すように、フロントケース２１の下端部の第一の突条部５２a，５２ｂが湾曲している部分には、第三の凸部５５a，５５ｂが設けられておらず、また、リアケース２２の下端部の第二の突条部６２ａ，６２ｂが湾曲している部分には、第四の凸部６５ａ，６５ｂは設けられていないので、これらの湾曲している部分でフロントケース２１とリアケース２２とをネジ止めすることができる。なお、フロントケース２１及びリアケース２２の上端部側は、下端部側と同様にネジ止めする構成であっても良いし、或いは爪で係合させる構成であってもよい。
【００２５】
以上のようにして、フロントケース２１とリアケース２２とを互いに突き合わせた状態で互いに当接する第一の突条部５２a，５２bと第二の突条部６２a，６２bとは、その全域が挟持部材４a，４bによって挟み付けられているので、第一の突条部５２a，５２b及び第二の突条部６２a，６２bが嵌め合わせ面２１２，２２２に介在する防水パッキンＰの反発力に負けて変形することはない。その結果、フロントケース２１及びリアケース２２が樹脂製であってもその変形を防止することができ、パッキン用溝部２１４内の防水パッキンＰを強い力で圧縮することができるので、嵌め合わせ面２１２，２２２における防水を確実に確保することができる。また、第一の突条部５２a，５２b及び第二の突条部６２a，６２bが挟持部材４a，４bによって挟み付けられることにより、フロントケース２１及びリアケース２２の左右側縁部がそれぞれ保護されるので、損傷等を防止することができる。さらに、第二の筐体２の剛性やねじり強度の向上も図ることができる。
また、挟持部材４a，４bは、第一の凸部４４a，４４bを第一の溝部５６a，５６bに、第二の凸部４６a，４６bを第二の溝部６６a，６６bに挿入させて、第三の溝部４５a，４５bを第三の凸部５５a，５５bに、第四の溝部４７a，４７bを第四の凸部６５a，６５bに挿入させるとともにスライド移動させることにより、挟持部材４a，４bが切欠部５１a，５１b，６１a，６１b内に断面視略コ字状に嵌め込まれる。そのため、第一の突条部５２a，５２b及び第二の突条部６２a，６２bがより強固に挟み付けられて、防水性を向上させることができる。しかも、上述のように挟持部材４a，４bをスライド移動させるだけで第一の突条部５２a，５２b及び第二の突条部６２a，６２bを挟み付けることができ、組み立ても非常に簡単である。
【００２６】
なお、本発明は上記実施の形態に限定されるものではなく、その要旨を逸脱しない範囲で適宜変更可能である。
例えば、上記実施の形態においては、折り畳み式携帯電話機１００の第二の筐体２に適用したが、第一の筐体１に適用しても良いことは勿論のこと、デジタルカメラやＰＤＡやその他の電子機器の機器ケースに適用しても良い。
また、各ケース１１，１２，２１，２２、第一〜第四の溝部５６a，５６b，６６a，６６b，４５a，４５b，４７a，４７b、第一〜第四の凸部４４a，４４b，４６a，４６b，５５a，５５b，６５a，６５b、防水パッキンＰの形状等も任意であり、その他、具体的な細部構造等についても適宜変更することができる。例えば、第一〜第四の凸部４４a，４４b，４６a，４６b，５５a，５５b，６５a，６５bはそれぞれ長手方向に沿って所定間隔で複数立設される構成であったが、凸部が連続する所謂凸条であってもよい。この場合、挟持部材４a，４bは、第一及び第二の突条部４４a，４４b，４６a，４６bの下端部側から挿入することになる。
【図面の簡単な説明】
【００２７】
【図１】折り畳み式携帯電話機１００の外観斜視図である。
【図２】第二の筐体２をフロントケース２１側から見た際の分解斜視図である。
【図３】第二の筐体２をリアケース２２側から見た際の分解斜視図である。
【図４】第二の筐体２をフロントケース２１側から見た際の要部分解斜視図である。
【図５】フロントケース２１とリアケース２２とを互いに突き合わせた状態の斜視図である。
【図６】図５の状態から挟持部材４a，４bを嵌め込んだ状態の要部斜視図である。
【図７】切断線Ａ−Ａに沿って切断した際の矢視断面図である。
【符号の説明】
【００２８】
２  第二の筐体（機器ケース）
４a，４b  挟持部材
２１  フロントケース（第一のケース部材）
２２  リアケース（第二のケース部材）
４４a，４４b  第一の凸部
４６a，４６b  第二の凸部
５２a，５２b  第一の突条部
５６a，５６b  第一の溝部
６２a，６２b  第二の突条部
６６a，６６b  第二の溝部
１００  折り畳み式携帯電話機（電子機器）
２１２，２２２  嵌め合わせ面
５２１a，５２１b  第一の突条部の表面
６２１a，６２１b  第二の突条部の裏面
Ｐ  防水パッキン
【図１】
2008092096.tif 000003
【図２】
2008092096.tif 000004
【図３】
2008092096.tif 000005
【図４】
2008092096.tif 000006
【図５】
2008092096.tif 000007
【図６】
2008092096.tif 000008
【図７】
2008092096.tif 000009